(57)【要約】【課題】インク流出性と、ペン先全体に対する筆記方向を視認することができる視認部の有効面積を最大にしたペン先を有する筆記具を提供する。【解決手段】筆記具本体１０から供給されるインクを誘導し、かつ筆記方向を視認することができる視認部を有するペン先２０を備えた筆記具Ａであって、前記ペン先２０は、少なくとも筆記部５０と、視認部を有する保持体３０とにより構成され、該保持体３０には、スリット形状からなるインク誘導部４０が形成されていることを特徴とする筆記具。【選択図】図１
2019136934.tif 000002
【特許請求の範囲】
【請求項１】
筆記具本体から供給されるインクを誘導し、かつ筆記方向を視認することができる視認部を有するペン先を備えた筆記具であって、前記ペン先は、少なくとも筆記部と、視認部を有する保持体とにより構成され、該保持体には、スリット形状からなるインク誘導部が形成されていることを特徴とする筆記具。
【請求項２】
インク誘導部は、保持体内部に成形され、インク部と空気置換部とで構成されていることを特徴とする請求項１記載の筆記具。
【請求項３】
インク誘導部の開口部は、空気置換部と接触していることを特徴とする請求項２に記載の筆記具。
【発明の詳細な説明】
【技術分野】
【０００１】
本発明は、筆記方向を視認することができるペン先を有する筆記具に関し、更に詳しくは、インク流出性と、ペン先全体に対する筆記方向を視認することができる視認部の有効面積を最大にしたペン先を有する筆記具に関する。
【背景技術】
【０００２】
従来、ペイントマーカー、アンダーラインマーカー等と称される筆記具のペン先は、幅広のペン芯を備えることにより幅広の線引きを可能にしたものであって、マーキングの視認性や作業性に優れているため幅広く使用されている。
ラインマーカー等の筆記具におけるペン先は、一般に合成樹脂繊維等を棒状等に集束したものや、高分子の焼結体などの多孔質部材に毛細管作用を付与し、これにより筆記具本体となる軸体から供給されるインクをペン先に導出することにより筆記可能としたものである。
【０００３】
また、蛍光インクを筆記具本体となる軸体内に収容した筆記具の普及にともない、幅広の線引きを可能とした多くの構造、形状のペン先を用いた筆記具が市販されたことにより、使用者の用途に応じた筆記具の広い選択が可能となり、その作業性も快適なものとなっている。
【０００４】
本出願人は、筆記具本体となる軸体から供給されるインクを誘導し、かつ保留できる筆記芯を有する筆記具において、ペン先に、筆記方向を視認できる視認部（可視部）を備えた筆記具を開示している（例えば、特許文献１参照）。
このタイプの筆記具のペン先は、筆記部を視認することができるため、引き終わりの止めたい部分でピタッと止めることができ、引きすぎや、はみ出しを防ぐことができるものである。このペン先の具体的な構成は、インクを誘導するインク誘導部と筆記部とから構成される焼結芯と、該焼結芯を保持する保持体と、該焼結芯と保持体とを固定する接着剤とから構成されている。
【０００５】
しかしながら、このペン先は、その形状が複雑であるため、熱可塑性樹脂粒子を焼結した焼結芯が使われているが、該焼結芯はインク流路が蛇行しているため、気孔率に対してインク流出性が若干低いという課題がある。そのため、インク誘導部を太く設計必要があり、ペン先全体に対する視認部の有効面積が低いという課題があるのが現状であった。
【０００６】
一方、上記構造以外の筆記方向を視認することができる視認部を有するペン先及びこのペン先を用いた筆記具や、本発明の近接技術を開示するペン先などの先行技術としては、例えば、ペン先が、筆記部となる多孔体と、該多孔体を保持し、筆記部にインクを供給するためのインク誘導部を少なくとも１つ有する保持体とを備え、筆記具本体に含まれるインクを、上記保持体に設けたインク誘導部に供給するための中継多孔体を有し、かつ、上記保持体が、筆記方向を視認できる視認部となる筆記具であって、該視認部の面積比率が、筆記具本体先端部より突出したペン先の４０％以上であることを特徴とする筆記具（例えば、特許文献２参照）などが知られている。
【０００７】
しかしながら、上記特許文献２に記載のペン先を用いた筆記具は、インク誘導部に空気置換作用等はなく、本発明とは技術思想が相違するものである。
【先行技術文献】
【特許文献】
【０００８】
【特許文献１】特開２０００−５２６８２号公報（特許請求の範囲、図１等）
【特許文献２】特開２０１２−２０５７５号公報（特許請求の範囲、図１等）
【発明の概要】
【発明が解決しようとする課題】
【０００９】
本発明は、上記従来技術の課題などに鑑み、これを解消しようとするものであり、筆記方向を視認することができるペン先を有する筆記具において、インク流出性と、ペン先全体に対する筆記方向を視認することができる視認部の有効面積を最大にしたペン先を有する筆記具を提供することを目的とする。
【課題を解決するための手段】
【００１０】
本発明者らは、上記従来の課題等を解決するために鋭意検討した結果、筆記具本体から供給されるインクを誘導し、かつ筆記方向を視認することができる視認部を有するペン先を備えた筆記具であって、上記ペン先は、少なくとも筆記部と、視認部を有する保持体とにより構成され、該保持体内を特定構造などとすることにより、上記目的の筆記具が得られることを見出し、本発明を完成するに至ったのである。
【００１１】
すなわち、本発明の筆記具は、筆記具本体から供給されるインクを誘導し、かつ筆記方向を視認することができる視認部を有するペン先を備えた筆記具であって、前記ペン先は、少なくとも筆記部と、視認部を有する保持体とにより構成され、該保持体には、スリット形状からなるインク誘導部が形成されていることを特徴とする。なお、ここで記載された本発明における「スリット」とは、縦横比が異なる細長い形状の孔であることを示す。
前記インク誘導部は、保持体内部に成形され、インク部と空気置換部とで構成されていることが好ましい。
前記インク誘導部の開口部は、空気置換部と接触していることが好ましい。
【発明の効果】
【００１２】
本発明によれば、インク流出性と、ペン先全体に対する筆記方向を視認することができる視認部の有効面積を最大にした筆記具が提供される。
【図面の簡単な説明】
【００１３】
【図１】本発明の筆記具の実施形態の一例を示す図面であり、（ａ）は正面図、（ｂ）は縦断面図である。
【図２】本発明の筆記具に用いるペン先の一例を示す各図面であり、（ａ）は前方側から見た斜視図、（ｂ）は平面図、（ｃ）は後方側から見た斜視図、（ｄ）は左側面図、（ｅ）は正面図、（ｆ）は右側面図、（ｇ）は（ｅ）のＤ−Ｄ線断面図、（ｈ）は縦断面図、（ｉ）は（ｇ）の要部拡大図である。
【図３】図２の保持体の各図面であり、（ａ）は拡大左側面図、（ｂ）は平面図、（ｃ）は拡大右側面図、（ｄ）は正面図、（ｅ）は前方側から見た拡大部分斜視図、（ｆ）は縦断面図、（ｇ）は（ｄ）のＧ−Ｇ線断面図、（ｈ）は（ａ）の要部拡大図である。
【図４】本発明の筆記具に用いるペン先の他例を示す各図面であり、（ａ）は前方側から見た斜視図、（ｂ）は平面図、（ｃ）は後方側から見た斜視図、（ｄ）は左側面図、（ｅ）は正面図、（ｆ）は右側面図、（ｇ）は（ｅ）のＢ−Ｂ線断面図、（ｈ）は縦断面図、（ｉ）は（ｇ）の要部拡大図である。
【図５】図４の保持体の各図面であり、（ａ）は前方側から見た斜視図、（ｂ）は平面図、（ｃ）は後方側から見た斜視図、（ｄ）は左側面図、（ｅ）は正面図、（ｆ）は右側面図、（ｇ）は（ｅ）のＦ−Ｆ線断面図、（ｈ）は前方側から見た拡大部分斜視図、（ｉ）は縦断面図、（ｊ）は（ｇ）の要部拡大図である。
【発明を実施するための形態】
【００１４】
以下に、本発明の実施形態について図面を参照しながら詳しく説明する。
図１は本発明の筆記具の実施形態の一例を示す図面であり、図２は本発明の筆記具に用いるペン先の一例を示す各図面であり、図３は図２の保持体の各図面である。
本実施形態の筆記具Ａは、図１（ａ）及び（ｂ）に示すように、有底筒状体の筆記具本体１０を有し、該筆記具本体１０内に収容されるインク吸蔵体１５から供給されるインクを誘導し、かつ筆記方向を視認することができる視認部を有するペン先２０を備えたものである。
【００１５】
筆記具本体１０は、例えば、熱可塑性樹脂、熱硬化性樹脂等で形成されるものであり、前方側にペン先２０の後方側を嵌合により固着する先軸１６が取り付けられている。
筆記具本体１０は、例えば、ポリプロピレン等からなる樹脂などを使用して有底筒状に成形され、筆記具本体（軸体）として機能する。筆記具本体１０は不透明又は透明（及び半透明）に成形されるが、外観上や実用上の観点からいずれを採用しても良い。
【００１６】
インク吸蔵体１５は、水性インク、油性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体１５は、筆記具本体１０内に収容され、後方側の保持片１７により筆記具本体１０内に収容保持されている。また、先軸１６の外周には、ペン先２０を保護するクリップ部６０ａを有するキャップが着脱自在に取り付けられる構成となっている。
【００１７】
用いる筆記具用インクの組成は、特に限定されず、筆記具の用途等に応じて、水性インク、油性インク、熱変色性インクなどの好適な配合処方とすることができ、例えば、アンダーラインペン等ではインクに蛍光色素、例えば、ベーシックバイオレット１１、ベーシックイエロー４０、熱変色性マイクロカプセル顔料などを含有させることできる。
これらのインクは、インク配合成分種、各配合量を調整することなどにより、インク粘度（２５℃：コンプレート型粘度計）１〜５ｍＰａ・ｓ、表面張力３０〜６０ｍＮ／ｍ、ペン先２０からのインク流出量を５〜２０ｍｇ／ｍに設定することで、描線の濃さと乾燥性を両立させることができるので好ましい。なお、インク流出量の測定は、自動筆記装置にペン体をセットして、ＪＩＳ  Ｓ６０３７に従い、上質紙面上で筆記角度６５°、筆記力１Ｎ、速度７ｃｍ／ｓでのものである。
なお、筆記具用インクを熱変色性インクとした場合は、ＪＩＳ  Ｓ  ６０５０−２００２に規定する鉛筆描線の消し能力（消字率）が７０％以下の熱可塑性エラストマーを図示しないがキャップの頂部に形成し、擦過動作により摩擦熱を発生容易かつ低摩耗とする摩擦体とすることができる。
【００１８】
ペン先２０は、図２（ａ）〜（ｉ）に示すように、少なくとも、保持体３０と、該保持体３０に取り付けられる多孔体から構成される筆記部５０とを有し、上記保持体３０内にはスリット形状からなるインク誘導部４０が形成される構成となっている。
この保持体３０には、膨出状の本体部３１と、該本体部３１の前方側に、フランジ部３２と、主に筆記方向を視認するための方形形状の視認部（窓部）３３とが構成されると共に、視認部（窓部）３３の先端側に筆記部５０の先端側（両側面）を保持する前方保持部３４ａ、３４ｂと、筆記部５０の一方の端面を抜け止め係止する係止部３４ｃとを有している。
また、前記本体部３１の後方側には、後方体部３５と、筆記具本体１０に収容されるインク吸蔵体１５の先端側に挿入される略三角形状の挿入部３６とが構成されている。
更に、上記本体部３１の幅方向外周面には、凹状の嵌合部３１ａが形成され、長手方向外周面となる両面には、それぞれ空気流通溝となる、屈曲状の空気流通溝３１ｂ、直線状の空気流通溝３１ｃが形成されている。
【００１９】
インク誘導部４０は、筆記具本体１０内に収容されるインク吸蔵体１５から供給されるインクを誘導し、筆記部５０へ供給するものであり、図２（ａ）〜（ｉ）及び図３（ａ）〜（ｈ）に示すように、保持体３０内部の外周面側となる両側に沿って２本形成されており、空気置換部４１と、インクを誘導するスリットからなるインク部４２とで構成されている。
本実施形態では、インク誘導部４０は、それぞれ中央に断面長方形状の空気連通溝となる空気置換部４１を有し、この空気置換部４１の上側と下側に、それぞれ所定間隔毎にインクを誘導する第１スリット４２ａ、４２ａ……と、第２スリット４２ｂ、４２ｂ……とを有するものであり、該第１スリット４２ａ、４２ａ……と第２スリット４２ｂ、４２ｂ……は空気置換部４１を介して直線状とならず、互い違いに配置される構成となっている。
また、上記インク誘導部４０の空気置換部４１と、第１スリット４２ａ……と第２スリット４２ｂ……とからなるインク部４２は、筆記部５０に接する前端面側となるインク誘導部４０の開口部側が図３（ａ）、（ｅ）及び（ｈ）に示すように、露出して多孔体から構成される筆記部５０にインクを供給する供給口（面）４３となっており、インク吸蔵体１５に接する後端面側となる挿入部３６の外周面も、図３（ｂ）、（ｃ）及び（ｇ）に示すように、露出してインク吸蔵体１５のインクを導入する導入口（面）４４となっており、この供給口（面）４３、吸収口（面）４４以外は外面に露出せず保持体３０内に形成される構成となっている。
【００２０】
上記インク誘導部４０におけるインクを誘導する各第１スリット４２ａ…、第２スリット４２ｂ…の各幅ｗは、筆記具本体１０内に収容されるインク吸蔵体１５から供給されるインクを誘導し、好適なインク量を筆記部５０へ効率的に供給できるものであればよく、好ましくは、１０〜１００μｍ、更に好ましくは、２０〜７０μｍであり、本実施形態では５０μｍとなっている。また、第１スリット４２ａ…、第２スリット４２ｂ…の総面積は、断面積で０．５〜５ｍｍ２であり、更に好ましくは、１〜３ｍｍ２であり、本実施形態では２ｍｍ２となっている。
更に、空気置換部４１の幅ｘは、好ましくは、５０〜５００μｍ、更に好ましくは、１００〜３００μｍであり、本実施形態では２００μｍとなっている。空気置換部４１の総面積は、断面積で０．０５〜１．０ｍｍ２であり、更に好ましくは、０．１５〜０．５０ｍｍ２であり、本実施形態では０．３２ｍｍ２となっている。
されている。
【００２１】
ペン先２０において、インク誘導部４０を含む保持体３０は、例えば、透明な部材で少なくとも成形されるものであり、例えば、ガラス、透明な樹脂材料、好ましくはゴム弾性を有しない透明な樹脂材料などから構成されるものである。例えば、ＰＰ、ＰＥ、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の可視光線透過率が５０％以上の材料を用いて、３Ｄプリンター等で成形することができる。
用いることができる３Ｄプリンターとしては、各種方式、例えば、材料押出（熱溶解積層法、ＦＤＭ）、液槽光重合（光造形、ＳＬＡ）、材料噴射（インクジェット式、ＭＪＰ）、結合剤噴射（インクジェット式、ＣＪＰ）、粉末床溶融結合（ＳＬＳ）、シート積層（ＬＯＭ）、指向性エネルギー堆積（ＬＭＤ）などを挙げることができ、本実施形態では、ガルバノスキャナー（レーザー）方式の３Ｄプリンターを用いて空気置換部４１、スリット４２ａ…、４２ｂ…を有するインク部４２などが形成された、図３（ａ）〜（ｈ）に示す、保持体３０を作製することができる。なお、可視光線透過率は多光源分光測色計〔スガ試験機社製、（ＭＳＣ−５Ｎ）〕にて反射率を測定することで求めることができる。
【００２２】
筆記部５０は、図１、図２に示すように、先端側が鋭角状となっており、保持体３０の前方側の前方保持部３４ａ、３４ｂと、筆記部５０の一方の端面を抜け止め係止する係止部３４ｃとにより取り付けられる構成となっている。更に必要に応じて接着剤を用いて取り付けを確実にしてもよい。
この筆記部５０は、多孔体から構成されるものであり、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、または、ポリオレフィン系樹脂、アクリル系樹脂、ポリエステル系樹脂、ポリアミド系樹脂、ポリウレタン系樹脂等の熱可塑性樹脂などのプラスチック粉末などを焼結したポーラス体（焼結芯）などからなるものである。
好ましい筆記部５０としては、繊維束芯、繊維芯、焼結芯、フェルト芯、スポンジ芯、無機多孔体芯であり、特に好ましくは、変形成形性の点、生産性の点から、焼結芯が望ましい。また、用いる多孔体から構成される筆記部５０の気孔率、大きさ、硬度などは、インク種、筆記具の種類等により、変動するものであり、例えば、気孔率では３０〜６０％とすることが好ましい。また、気孔率は下記のようにして算出される。まず、既知の質量及び見掛け体積を有する筆記芯を水中に浸し、十分に水を浸み込ませた後、水中から取り出した状態で質量を測定する。測定した質量から、筆記芯に浸み込ませた水の体積が導出される。この水の体積を筆記芯の気孔体積と同一として、下記式から、気孔率が算出される。
気孔率（単位：％）＝（水の体積）／（ペン先５０の見掛け体積）×１００
【００２３】
このように構成される筆記具Ａでは、筆記具の筆記具本体１０内に筆記具用インクを吸蔵したインク吸蔵体１５を挿入して保持せしめ、先端側は先軸１６を介して上記構成の筆記部４０を固着した保持体３０から構成されるペン先２０を順次嵌合等により固着せしめることにより、簡単に筆記具Ａを作製することができ、インク吸蔵体１５に吸蔵されたインクは第１スリット４２ａ…、第２スリット４２ｂ…から構成されるインク部４２の毛管力によりペン先２０の筆記部４０に効率的に供給され、筆記に供されるものとなる。
【００２４】
この筆記具Ａにおけるペン先２０の機能等を以下に説明する。
この筆記具Ａのペン先２０は、図１、図２等に示すように、筆記方向を視認することができる視認部（窓部）３３を有するものであり、インク吸蔵体１５のインクは毛細管力を有するインク部４２の導入口（面）４４からペン先２０の保持体３０内のインク誘導部４０内に流入し、第１スリット４２ａ…、第２スリット４２ｂを通り、供給口（面）４３に到達し、保持体３０の先端側に取り付けられた筆記部４０に吸収されて、筆記に供されるものとなる。筆記の際に、視認部（窓部）３３で視認側を見れば、ひき始めの位置を合わせやすくなり、また、引き終わりの止めたい部分でピタッと止めることができ、引きすぎや、はみ出しを防ぐことができるものとなる。
本発明では、ペン先２０は、図２（ｈ）等に示すように、ペン先２０の保持体３０内の外周面側に配置されたインク誘導路４０となる上記好適なスリット幅（隙間）となるスリット４２ａ…、４２ｂ…からなるインク部４２が形成されているので、視認部（窓部）３３全体で視認可能とするものであるため、毛管力を付与して十分なインク流量が確保しながら視認性（透過性）を備えるものとなり、インク誘導部の厚さも薄くでき、従来の焼結芯でインク誘導部と筆記部とで一体構成したものよりも、インク流出性が良好であり、インク誘導部を太く設計する必要がないので、インク誘導部によって視認部３３が阻害されないので、右利きで左から右方向に筆記する際に、視認部３３で筆記方向を視認しながら筆記部５０で描線を引くことなどができ、また、ペン先全体に対する視認部の有効面積の最大化と共に、上記特性のインク誘導部４０により筆記部５０へ効率よくインクが供給されるので、そのインク流出性も良好で有り、視認部の有効面積の最大化とインク流出性を高度に両立できる筆記具が得られるものとなる。
また、この筆記具Ａは、インク流出性が良好であるので、ペン先２０の移動速度を速くして筆記しても、インクの供給は良好に追従し、筆跡のカスレ等を生じることがない筆記具が得られることなる。
更に、ペン先２０内のインク誘導部４０に空気置換部４１が形成されているので、ペン先２０内に空気が入るとインクが筆記部４０から出なくなり、掠れてしまうなどの課題に対して、インク切れを起こした場合に空気を空気置換部４１によりペン先２０の本体部３１方向へ逃がす構成となっているので、上記掠れなどの課題を解消する構成となっている。
【００２５】
本発明の筆記具は、上記構成のペン先２０を備えたことを特徴とするものであるので、ペン先２０以外の構成は、特に限定されるものではない。
図４及び図５は、本発明の筆記具に用いるペン先２０の実施形態の他例を示す各図面である。なお、上記実施形態の筆記具Ａと同様の構成、機能を有する場合は、同一符号を付してその説明を省略する。
本実施形態の筆記具は、上記構成のペン先２０を構成する保持体３０におけるスリットからなるインク部４２の成形手段、配置箇所等が相違する点で、上記実施形態の筆記具Ａと相違するものである。
【００２６】
上記実施形態の筆記具では、ペン先２０は、保持体３０を成形する方法が３Ｄプリンターを用いて成形したものであるが、本実施形態は、図５（ａ）〜（ｊ）に示すように、所定間隔毎に形成されるスリット４２ｃ…を外周面側に露出するように形成したものである。
スリット４２ｃ…の形成は、レーザー加工（レーザー刻印等）により露出するように各所定の位置に設けることができる。本実施形態では、外側から彫り込むことによりスリット４２ｃ…が形成されるため、側面から彫り込まれた形状となっている。
レーザーとしては、例えば、連続またはパルス発振形式を有する炭酸ガスレーザー、ＹＡＧレーザー、エキシマレーザーが挙げられるが、中でも炭酸ガスレーザーが好適に使用できる。
このスリット４２ｃ…の各幅ｗ、断面積は、上記実施形態と同様に好ましい各範囲に設定される。なお、本実施形態では、スリット４２ｃ…は大気側に連通するので、空気置換部を省略することができる。
【００２７】
この筆記具のペン先２０においても、図１、図４及び５に示すように、筆記方向を視認することができる視認部（窓部）３３を有するものであり、インク吸蔵体１５のインクは毛細管力を有するインク部４２の導入口（面）４４からペン先２０の保持体３０内のインク誘導部４０内に流入し、スリット４２ｃ…を通り、供給口（面）４３に到達し、保持体３０の先端側に取り付けられた筆記部４０に吸収されて、筆記に供されるものとなる。筆記の際に、視認部（窓部）３３で視認側を見れば、ひき始めの位置を合わせやすくなり、また、引き終わりの止めたい部分でピタッと止めることができ、引きすぎや、はみ出しを防ぐことができるものとなる。
本実施形態では、ペン先２０は、図５（ａ）、（ｂ）等に示すように、ペン先２０の保持体３０の外周面側に形成された上記好適なスリット幅（隙間）となるスリット４２ｃ…からなるインク部４２が形成されているので、視認部（窓部）３３全体で視認可能とするものであるため、毛管力を付与して十分なインク流量が確保しながら視認性（透過性）を備えるものとなる。この構成となるペン先２０を有する筆記具は、インク誘導部の厚さも薄くでき、従来の焼結芯でインク誘導部と筆記部とで一体構成したものよりも、インク流出性が良好であり、インク誘導部を太く設計する必要がないので、シート状の多孔体から構成されるインク誘導部によって視認部３３が阻害されないので、右利きで左から右方向に筆記する際に、視認部３３で筆記方向を視認しながら筆記部５０で描線を引くことなどができ、また、ペン先全体に対する視認部の有効面積の最大化と共に、上記特性のインク誘導部３３５により筆記部５０へ効率よくインクが供給されるので、そのインク流出性も良好で有り、視認部の有効面積の最大化とインク流出性を高度に両立できる筆記具が得られるものとなる。
また、このペン先２０を有する筆記具は、インク流出性が良好であるので、ペン先２０の移動速度を速くして筆記しても、インクの供給は良好に追従し、筆跡のカスレ等を生じることがない筆記具が得られることなる。
【００２８】
本発明の筆記具は、上記実施形態などに限定されることなく、本発明の技術思想を変更しない範囲内で種々変更することができる。
上記実施形態では、シングルタイプの筆記具を示したが、ペン先２０の反対側となる箇所に汎用の棒状の多孔体から構成されるペン先を適宜保持具を介して取り付け、ペン先２０と、棒状のペン先を備えたツインルタイプの筆記具としてもよいものである。また、上記実施形態の筆記具をノック式によりペン先２０が出没する筆記具としてもよいものである。
また、上記実施形態で第１スリット４２ａ…、第２スリット４２ｂ…を形成してインク誘導部４０としたが、筆記部５０へインクの供給が必要かつ十分に供給できれば、第２スリット４２ｂ…を省略しても良い。
更に、本発明では、上述の如く、最新の３Ｄプリンターを用いて、数十μｍのピッチでスリット等を成形することができ、ペン芯と同等の毛細管力を付与することができ、保持体とインク誘導部を一度に成形でき、また、一体に成形できるためデザインの自由度が高まり、視認部（窓部）の拡張だけでなく、よりデザイン性に優れる新規なペン先が開発でき、また、エラストマーのような材料を２色成形できる３Ｄプリンターによって用いれば、保持体３０とインク誘導部４０だけでなく、多孔体の筆記部５０も一度に成形でき、総合的に、かつ、効率的にデザインできるものとなる。また、上記レーザー加工（レーザー刻印）でインク誘導部４０を切削等によりスリット４２ｃ…を形成したが、最新のレーザー刻印機等は、彫り込み精度が更に向上しており、更に良好な毛細管力を形成できるレベルとなっており、保持体３０に直接インク誘導部４０を直接彫り込むことなどで、更にデザイン性とインク流出性がともに向上できるものとなっている。
【００２９】
上記実施形態の筆記具Ａでは、筆記具本体の軸体などの断面を円形軸等に形成したが、三角形状、四角形以上の方形状などの異形形状、楕円形状にしてもよいものである。また、ペン先２０全体を透明な部材で構成する場合を示したが、少なくとも視認部３３が透明な部材で構成され、筆記具本体内の取り付けられる本体部３１側を透明な部材以外の樹脂部材で二色成形品となったものを用いてレーザー加工でペン先２０を構成してもよいものである。
更に、上記各実施形態では、筆記具用のインク（水性インク、油性インク、熱変色性インク）で説明したが、液状化粧料、液状薬剤、塗布液、修正液などの液状体としてもよいものである。
【００３０】
次に、実施例により、本発明を更に詳述するが、本発明は下記実施例に限定されるものではない。
【００３１】
〔実施例１〕
下記構成及び図１〜図３に準拠するペン先を有する筆記具、下記組成の筆記具用インクを使用した。ペン先の寸法等は下記に示す大きさ等を使用した。
【００３２】
（ペン先２０の構成）
アクリル樹脂製、可視光線透過率８５％〔スガ試験機社製、多光源分光測色計（ＭＳＣ−５Ｎ）にて反射率を測定し、可視光線透過率とした。〕
視認部（窓部）３３（四角形）の大きさ：６ｍｍ×６ｍｍ×７ｍｍ×６ｍｍ、面積０．４ｃｍ２
空気置換部４１の幅ｘ：２００μｍ、断面積：０．３２ｍｍ２
スリット４２ａ…、４２ｂ…の幅ｗ：５０μｍ、断面積合計：２ｍｍ２
筆記部５０：ポリエチレン製焼結芯、気孔率：５０％、大きさ：４×３×６ｍｍ
【００３３】
インク吸蔵体：ＰＥＴ繊維束、気孔率８５％、φ６×７７ｍｍ
筆記具本体１０：ポリプロピレン（ＰＰ）製
【００３４】
（筆記具用インク組成：インク色：蛍光黄色）
筆記具用インクとして、下記組成のインク（合計１００質量％）を使用した。
保湿剤：トリメチルグリシン（グリシンベタイン）                    ７．５質量％
ペンタエリスリトール                                      ４．５質量％
着色剤：NKW-4805黄（日本蛍光社製）                              ４０．０質量％
防腐剤：バイオエース（ケイアイ化成社製）                          ０．３質量％
ｐＨ調整剤：トリエタノールアミン                                  １．０質量％
フッ素系界面活性剤：サーフロン8111N（ＡＧＣセイミケミカル社製）   ０．２質量％
水溶性有機溶剤：エチレングリコール                                ３．０質量％
水（溶媒）：イオン交換水                                        ４３．５質量％
粘度（２５℃）：３．０ｍＰａ・ｓ（コンプレート型粘度計、ＴＯＫＩＭＥＣ社製、ＴＶ−２０）
表面張力（２５℃）：３３ｍＮ／ｍ（自動表面張力計、協和界面科学社製、ＤＹ−３００）
【００３５】
この図１〜図３準拠の実施例１のペン先２０を用いた筆記具Ａでは、インク誘導部４０を含むペン先は３Ｄプリンターで成形でき、しかも、その厚さも薄くでき、従来の特許文献１に記載の焼結芯でインク誘導部と筆記部とで一体構成したものよりも、インク流出性が良好であり、インク誘導部を太く設計する必要がないので、インク誘導部によって視認部３３が阻害されないので、右利きで左から右方向に筆記する際に、視認部３３で筆記方向を視認しながら筆記部５０で描線を引くことなどができ、また、ペン先全体に対する視認部の有効面積の最大化と共に、インク誘導部４０により筆記部５０へ効率よくインクが供給されるので、そのインク流出性も良好で有り、視認部の有効面積の最大化とインク流出性を高度に両立できる筆記具が得られることが確認できた。
また、この筆記具Ａは、インク流出性が良好であるので、ペン先２０の移動速度を速くして筆記しても、インクの供給は良好に追従し、筆跡のカスレ等を生じることがない筆記具が得られることも確認できた。また、１ｍの高さから落下させた後でも、掠れることなく筆記できることが確認できた。
【００３６】
更に、自動筆記装置にこの筆記具をセットして、ＪＩＳ  Ｓ６０３７に準拠した試験方法に従い、上質紙面上で筆記角度６５°、筆記荷重１Ｎ、速度７ｃｍ／ｓで直線筆記後、筆記した描線状態を目視にて確認したところ、上記好ましいインク組成のものを使用しているため、ペン先２０のインク流量（１５ｍｇ／ｍ）も良好で、ペン先の乾燥を抑えながらも、描線の乾燥性、インクの低温安定性に優れ、描線に滲みや裏抜けのない機能を発現することが判った。
【００３７】
〔実施例２〕
下記構成及び図４、図５に準拠するペン先を有する筆記具、下記組成の筆記具用インクを使用した。ペン先２０の寸法等は下記に示す大きさ等を使用した。これ以外の各部品、インク組成は上記実施例１のものを使用した。
（ペン先２０の構成）
アクリル樹脂製、可視光線透過率８５％〔スガ試験機社製、多光源分光測色計（ＭＳＣ−５Ｎ）にて反射率を測定し、可視光線透過率とした。〕
視認部（窓部）３３（四角形）の大きさ：６ｍｍ×６ｍｍ×７ｍｍ×６ｍｍ、面積０．４ｃｍ２
スリット４２ｃ…の幅ｗ：５０μｍ、断面積合計：２ｍｍ２
保持体３０（インク誘導部４０含む：図５）の成形
スリット４２ｃ…形成前の保持体３０を射出成形により得た。次いで、この保持体３０にレーザー刻印機を用いてスリット４２ｃ…を形成した。
【００３８】
この図４〜図５準拠の実施例２のペン先２０を用いた筆記具では、上記実施例１と同様に、そのインク流出性も良好で有り、視認部の有効面積の最大化とインク流出性を高度に両立できる筆記具が得られることが確認できた。また、ペン先２０の移動速度を速くして筆記しても、インクの供給は良好に追従し、筆跡のカスレ等を生じることがない筆記具が得られることも確認できた。また、１ｍの高さから落下させた後でも、掠れることなく筆記できることが確認できた。更に、上記と同様に、自動筆記装置にこの筆記具をセットして、試験をしたところ、ペン先２０のインク流量（１５ｍｇ／ｍ）も良好で、ペン先の乾燥を抑えながらも、描線の乾燥性、インクの低温安定性に優れ、描線に滲みや裏抜けのない機能を発現することが判った。
【産業上の利用可能性】
【００３９】
本発明のペン先では、アンダーラインペン、ペイントマーカー、油性マーカー、水性マーカーと呼ばれるタイプの筆記具に用いるペン先として好適に適用することができる。
【符号の説明】
【００４０】
１０  筆記具本体
２０  ペン先
３０  保持体
４０  インク誘導部
４１  空気置換部
４２  インク部
５０  筆記部
【図１】
2019136934.tif 000003
【図２】
2019136934.tif 000004
【図３】
2019136934.tif 000005
【図４】
2019136934.tif 000006
【図５】
2019136934.tif 000007